(57)【要約】【課題】配管部材が固定される部材の施工誤差や、配管部材自体の寸法誤差が生じても、配管部材同士を適切に接続固定することのできる配管部材の接続構造を提供すること。【解決手段】接続管２０を水栓３０に挿入して接続する配管部材の接続構造１０において、接続管２０に鍔２７を設け、水栓３０の接続部３４外周面に雄ねじを設け、鍔２７に当接可能なフランジ４２を有するリング部材４０を雄ねじに螺合し、鍔２７とフランジ４２とをクリップ４６にて連結した。また、接続管２０の接続部２３の外周面に、Ｏリング２５が装着された周溝２６を形成した。【選択図】    図１
2004169786.tif 000002
【特許請求の範囲】
【請求項１】
第一配管部材を第二配管部材に挿入して接続する配管部材の接続構造であって、第一配管部材または第二配管部材のいずれか一方に鍔が設けられ、他方に雄ねじが設けられ、前記鍔に当接可能なフランジを有するリング部材が前記雄ねじに螺合され、前記鍔と前記フランジとが接続具にて連結されたことを特徴とする配管部材の接続構造。
【請求項２】
前記第一配管部材の外周面または前記第二配管部材の内周面には、シール部材が装着された周溝が形成されたことを特徴とする請求項１に記載の配管部材の接続構造。
【請求項３】
前記第一配管部材または前記第二配管部材のいずれか一方が水栓であることを特徴とする請求項１または請求項２に記載の配管部材の接続構造。
【発明の詳細な説明】
【０００１】
【発明の属する技術分野】
本発明は、第一配管部材と第二配管部材とを連通接続するための配管部材の接続構造に関する。
【０００２】
【従来の技術】
従来、水栓などに用いられる配管部材を接続するための配管部材の接続構造には、例えば、図４に示すものが知られている。この配管部材の接続構造は、第一配管部材と第二配管部材との間にジョイント部材を介在させて、両配管部材を接続するものである。この配管部材の接続構造６０では、第一配管部材である接続管２０と、第二配管部材である水栓３０とが、ジョイント部材６２を介して接続されている。ジョイント部材６２は、全体がほぼ円筒形状に形成されており、一端側には大径に形成された大径部６４が、他端側にはやや小径に形成された小径部６６が設けられている。大径部６４内周面には、雌ねじが形成されており、水栓３０の接続部３４に形成された雄ねじに螺着されている。また、大径部６４奥端には、通水孔６８の周囲に底部７０が形成されている。この底部７０と、水栓３０の接続部３４先端側の端部との間には、パッキン７２が介在されており、ジョイント部材６２を接続部３４に締め付けていくことにより、大径部６４の底部７０と接続部３４端部とにパッキン７２が圧着されて、ジョイント部材６２と接続部３４との水密が図られている。
【０００３】
一方、小径部６６先端には、外方に突設されるフランジ７４が周設されている。また、接続管２０の端部には、外周に鍔７６を形成した接続部７８がロウ付けされて固定されている。この挿入部７８先端は、ジョイント部材６２の小径部６６の内径よりも僅かに小さな外径に形成されており、小径部６６内に摺接しつつ挿入可能に設けられるとともに、挿入部７８外周面には、Ｏリング２５が装着される周溝８０が形成されている。
【０００４】
そして、接続部３４に螺着されたジョイント部材６２に、挿入部７８を挿入し、ジョイント部材６２のフランジ７４と挿入部７８の鍔７６とを当接させて、フランジ７４と鍔７６とを、別部材であるクリップ４６により狭持固定することにより、挿入部７８とジョイント部材６２とを接続固定し、もって、接続管２０と水栓３０とを接続している（例えば、特許文献１参照。）。このようにして、特に、壁面等に固定されている給水・給湯管の接続口等に接続される配管部材同士を、簡便・容易に接続できる接続構造が提供されている。
【０００５】
【特許文献１】
実開平１−９８３９６号公報（第２１図）
【０００６】
【発明が解決しようとする課題】
この従来の接続構造６０では、両配管部材間に介在されているジョイント部材６２に対して、第一の配管部材である接続管２０は、その鍔７６をジョイント部材６２のフランジ７４に当接させた状態でクリップ４６により位置決め固定されており、接続管２０の軸方向において位置調節はできない状態となっている。また、第二配管部材である水栓３０とジョイント部材６２とは、ジョイント部材６２が水栓３０の接続部３４に螺着されて接続固定されているが、パッキン７２の適切な潰しにより水密を確実に行うことができるようにするために、その締め付け具合は一定の範囲に制限される。よって、ジョイント部材６２によって接続固定される接続管２０と水栓３０とは、その間隔を調整することが困難となっている。そして、あらかじめ壁面等に固定されている給水・給湯管の接続口や取り付けステー等の部材は、これらに固定される接続管２０や水栓３０等の配管部材の寸法を考慮して適切な位置に固定されてはいるが、場合によっては、当初想定した位置決めが狂い施工誤差が生じることもある。また、配管部材自体の寸法誤差が生ずることもある。そしてこのような場合には、配管部材同士の接続が困難となる問題が生じていた。
【０００７】
本発明は上記した従来の配管部材の接続構造の問題点を解消するものであり、配管部材が固定される部材の施工誤差や、配管部材自体の寸法誤差が生じても、配管部材同士を適切に接続固定することのできる配管部材の接続構造を提供することを目的とする。
【０００８】
【課題を解決するための手段】
以上の課題を解決するために、本発明の採った手段を以下に説明する。本発明の配管部材の接続構造は、第一配管部材を第二配管部材に挿入して接続する配管部材の接続構造であって、第一配管部材または第二配管部材のいずれか一方に鍔が設けられ、他方に雄ねじが設けられ、前記鍔に当接可能なフランジを有するリング部材が前記雄ねじに螺合され、前記鍔と前記フランジとが接続具にて連結されたものである（請求項１）。
【０００９】
第一配管部材と第二配管部材のうち一方に鍔、他方に雄ねじを設け、この雄ねじに螺着されるリング部材のフランジと、鍔とが接続具で連結されているとともに、第一配管部材は第二配管部材に挿入されている。よって、リング部材の締め付け具合により、両配管部材の間隔を調整することとしても、第一配管部材が第二配管部材へ挿入された状態である限り、両配管部材の接続状態を保つことができる。このようにして、配管部材が固定される部材の施工誤差や、配管部材自体の寸法誤差が生じても、配管部材同士を適切に接続固定することができる。ここで、「配管部材」は、配管、接続管などのほか、配管状の部位を有する水栓などの各種部材総てを意味する。
【００１０】
また、請求項１に記載の配管部材の接続構造において、前記第一配管部材の外周面または前記第二配管部材の内周面には、シール部材が装着された周溝が形成されているものとすることができる（請求項２）。このように、第二配管部材に挿入される第一配管部材の外周面、または第二配管部材の内周面にシール部材を装着することにより、両配管部材の間隔を調整する際にも、第一配管部材の外周面と第二配管部材の内周面との水密を確実に行うことができる。
【００１１】
また、請求項１または請求項２に記載の配管部材の接続構造において、前記第一配管部材または前記第二配管部材のいずれか一方を水栓とすることもできる（請求項３）。施工誤差等に合わせて、あらかじめ寸法を異ならせた配管部材を準備して対処することとする場合、接続管等に比べて、種々の異なる形状や内部に通水室等を備える複雑な形状を有する水栓においては、その製造コストが多大なものとなる。上記した発明を「水栓」に適用することにより、あらかじめ寸法を異ならせた配管部材の種類を減らすことができ、このような水栓設備の製造コストを低減させることができる。
【００１２】
【発明の実施の形態】
次に、本発明の配管部材の接続構造の実施の形態を、図を参考にして詳細に説明する。図１に示すように、この配管部材の接続構造１０は、「第一配管部材」である接続管２０と、「第二配管部材」である水栓３０とを、リング部材４０を介して接続固定するものである。
【００１３】
この水栓３０の近傍に配設された壁面（図示省略）等には、壁面裏側に引き回されるとともに壁面表側にその先端が露呈されて固定された給水・給湯配管の接続口（図示省略）が配設されており、水栓３０は、この接続口に接続固定されるとともに、取り付けステー（図示省略）によって壁面等に位置決め固定されている。水栓３０に接続された給水・給湯配管から水栓３０に流入される湯・水は、水栓３０内において適宜混合されて、接続管２０側に流出されるように設けられている。そして、この接続管２０の先端側は、取り付けステー（図示省略）に固定された吐水口（図示省略）に接続固定されている。このように、この水栓３０は、水栓３０の吐水操作により、水栓３０に接続された接続管２０を経て、吐水口から湯水が吐出されるものである。
【００１４】
「第二配管部材」である水栓３０の側面には、水栓３０内部の通水室３２に連通し、後述する挿入部２４が挿入される接続部３４が設けられており、この接続部３４外周面には、雄ねじが刻設されている。また、接続部３４には、内周面に雌ねじが刻設された円筒状のリング部材４０が螺着されている。そして、このリング部材４０の接続部３４に対する締め付け具合によって、接続部３４に対するリング部材４０の位置を微調整できるように設けられている。また、リング部材４０の先端側には、外方に向けてフランジ４２が周設されている。
【００１５】
「第一配管部材」である接続管２０には、接続管本体部２２と、この接続管本体部２２にロウ付けされた接続部２３とが備えられている。接続部２３の先端には、水栓３０の接続部３４内周面よりも僅かに小径の挿入部２４が備えられており、挿入部２４の外周面には、Ｏリング２５が装着された二つの周溝２６が形成されている。接続部２３の基端部２８には、リング部材４０のフランジ４２とほぼ同径の鍔２７が周設されている。そして、リング部材４０のフランジ４２と、接続部２４の鍔２７とが、「接続具」の一例であるクリップ４６（図２参照）により固定されており、これにより、接続管２０と水栓３０とが接続固定されている。
【００１６】
次に、この接続構造１０による接続管２０と水栓３０との接続方法について説明する。まず、水栓３０の接続部３４にリング部材４０を螺着して仮止めする。次いで、接続管２０の挿入部２４を水栓３０の接続部３４内に挿入する。この時、接続管２０と水栓３０との間隔に合わせてリング部材４０の締め付け具合を調節し、フランジ４２と鍔２７が当接する位置に、リング部材４０の位置決めを行う（図の矢印方向）。またこの時、挿入部２４とともに、Ｏリング２５が接続部３４内周面に圧着された状態で位置決めされるので、挿入部２４と接続部３４との水密は確実に図られる。そして、このフランジ４２と鍔２７とを、クリップ４６により固定する。なお、リング部材４０の水栓３０側の接続部３４にロックナットを取り付けておくことにより、リング部材４０の位置決め後に、リング部材４０のがたつきや緩みを防止することもできる。
【００１７】
クリップ４６は、図２に示すように、一端側を連結した二つの係合片４７から形成されている。これらの係合片４７には、その長手方向に沿って、フランジ４２及び鍔２７を合わせて挿通させて嵌合させることのできる長孔４９が形成されている。また、係合片４７の中央部には、接続管２０の接続部２３の基端部２８及びリング部材４０の外周面に密着嵌合するように係合片４７外側に向けて膨出された円弧部４８が形成されている。また係合片４７間の開口部５０は、通常時には、基端部２８及びリング部材４０の外径よりも小さく設けられるとともに、拡開された場合には基端部２８及びリング部材４０を円弧部４８内に挿通可能な大きさに弾性変形可能に設けられている。このような、クリップ４６を、その開口部５０を弾性拡開して、その長孔４９内にフランジ４２及び鍔２７を嵌合させて接続部２３及びリング部材４０に密着嵌合させることにより、接続管２０と水栓３０との抜け防止が図られる。なお、クリップ４６を装着後、クリップ４６が接続管２０等から外れないようにするために、開口部５０側に係合片４７の拡開を防止する係止具等を取り付けても良い。
【００１８】
次いで、本発明の接続構造の別の実施の形態について説明する。図３に示す配管部材の接続構造１１は、上記した接続構造１０とは逆に、水栓３０の接続部５２を、接続管２０側に挿入したものである。なお、上記した第一の実施の形態と共通する構成については、第一の実施の形態と同一の符号を図に付して説明を省略する。
【００１９】
水栓３０の接続部５２の基端寄りには、鍔５４が周設されており、この鍔５４寄りも先端寄りの接続部５２の外周面には、Ｏリング２５が装着される周溝５６が形成されている。一方、接続管２０の接続部５８は、略円筒状に形成されて、その先端寄りに雄ねじが刻設されている。また、接続部５８の内径は、接続部５２の外径よりも僅かに小さく形成されており、挿入される接続部５２が摺接した状態で位置決め可能に設けられている。
【００２０】
また、接続部２３の雄ねじ部分には、リング部材４０が螺着されており、上記第一の実施の形態と同様に、リング部材４０の締め付け具合の調節によって、接続管２０と接続管３０との位置決め調節が行われる。そして、リング部材４０のフランジ４２と鍔５４とがクリップ４６によって固定されている。
【００２１】
上記した各実施の形態においては、施工誤差や配管部材自体の寸法誤差があっても、配管部材同士を確実に接続固定できるほか、リング部材４０締め付け具合を調節するだけで、配管部材の間隔を極めて簡便に調節することができる。また、施工後に配管部材間の間隔を調整する必要が生じた際にも適宜調整することが可能である。
【００２２】
【発明の効果】
本発明は上記のように構成されているので、配管部材が固定される部材の施工誤差や、配管部材自体の寸法誤差が生じても、配管部材同士を適切に接続固定することができる、という効果を奏する。また請求項２に記載の配管部材の接続構造では、配管部材間の水密を確実に行うこともできる。さらに請求項３に記載の配管部材の接続構造では、一方の配管部材が「水栓」である場合の、水栓設備の製造コストを低減することもできる。
【図面の簡単な説明】
【図１】接続構造の一部破断面図である。
【図２】クリップの斜視図である。
【図３】別の接続構造の一部破断面図である。
【図４】従来の接続構造の一部破断面図である。
【符号の説明】
１０，１１；接続構造、２０接続管、２２；接続管本体部、２３；接続部、２４；挿入部、２５；Ｏリング、２６；周溝、２７；鍔、２８；基端部、３０；水栓、３２；通水室、３４；接続部、４０；リング部材、４２；フランジ、４６；クリップ、４７；係合片、４８；円弧部、４９；長孔、５０；開口部、５２；接続部、５４；鍔、５６；周溝、５８；接続部、６０；接続構造、６２；ジョイント部材、６４；大径部、６６；小径部、６８；通水孔、７０；底部、７２；パッキン、７４；フランジ、７６；鍔、７８；接続部、８０；周溝。
【図１】
2004169786.tif 000003
【図２】
2004169786.tif 000004
【図３】
2004169786.tif 000005
【図４】
2004169786.tif 000006